(57)【要約】【課題】専用の受光素子を設けたり、筐体を透明になどすることなく外光などによる誤動作を防止することができ、外光による影響がない場合にはテープを入れてすぐにローディングを開始するようにする。【解決手段】ＣＰＵ２は、磁気テープの始端及び終端に設けられた光透過性のリーダテープ部を検出するためのＬＥＤ２５、フォトトランジスタ１に対して、ＬＥＤ消灯時のフォトトランジスタのコレクタ出力と、ＬＥＤ点灯時のフォトトランジスタのコレクタ出力の差分が第１のしきい値６よりも小さく、かつＬＥＤ消灯時のフォトトランジスタのコレクタ出力とＬＥＤ点灯時のフォトトランジスタのコレクタ出力が共に第２のしきい値７よりも小さい場合は外光の影響があるものと判断し、磁気記録再生装置の動作を停止させる（ステップＳ５、Ｓ６、Ｓ７）。【選択図】        図３
2004319032.tif 000002
【特許請求の範囲】
【請求項１】
不透明な磁気テープ部と前記磁気テープ部の始端及び終端に設けられた光透過性のリーダテープ部を検出するための発光素子及び受光素子と、
前記発光素子の消灯状態での前記受光素子の受光量と前記発光素子の点灯状態での前記受光素子の受光量とに基づいて外光の有無を判断し、前記外光を検出した場合に動作を停止させる制御手段とを、
有する磁気記録再生装置。
【請求項２】
前記制御手段は、前記発光素子の消灯状態での前記受光素子の受光量、及び前記発光素子の点灯状態での前記受光素子の受光量の差分と第１のしきい値を比較するとともに、前記発光素子の消灯状態での前記受光素子の受光量、及び前記発光素子の点灯状態での前記受光素子の受光量の両方と第２のしきい値を比較し、前記２つの比較結果に基づいて前記外光の有無を判断することを特徴とする請求項１に記載の磁気記録再生装置。
【発明の詳細な説明】
【０００１】
【発明の属する技術分野】
本発明は、磁気テープの始端及び終端に設けられた光透過性のリーダテープ部を発光素子及び受光素子により検出してテープ走行を停止させる磁気記録再生装置に関し、特に外光による誤動作を防止することができる磁気記録再生装置に関する。
【０００２】
【従来の技術】
磁気テープ（以下、単にテープということがある）を収納したテープカセットを用いて映像信号や音声信号を記録再生する磁気記録再生装置において、フロントローディング方式のカセット装着装置がよく用いられている。フロントローディング方式のカセット装着装置を用いる場合は、カセットの挿入部から異物が進入しないようフラップを設けることが広く行われている。また、カメラ一体型ＶＴＲなどの機器においても、このようなフロントローディング方式のカセット装着装置が用いられているものがある。
【０００３】
フロントローディング方式のフラップは、カセット挿入口を完全に密閉するものではなく隙間があるので、この隙間から外光が入り光透過性のテープ端を誤検出することがある。特にカメラ一体型ＶＴＲは屋外で使用されることが多く、夏場の強い直射日光に当たった場合などは誤検出が多く発生し、記録途中でもテープ端と判断して記録が止まってしまい、肝心なところが記録できなくなってしまうことがある。
【０００４】
このためにカセット装着装置のフラップの外側、すなわちカセット挿入口の外側に保護カバーを設けている。図４にフロントローディング方式のカセット装着装置を備えたカメラ一体型ＶＴＲの例を示す。４１がカセット挿入部、４２が保護カバーであり、図４では保護カバー４２が開いた状態を示している。このようなＶＴＲでは、ユーザはいったん保護カバー４２を開けてからカセットの排出を行い、また新しいカセットの挿入を行う。そしてカセットを挿入してから保護カバー４２を閉めることで操作が完了する。保護カバー４２を開けたままの状態は外光の影響を受けやすいので、スイッチ（図示しない）を設けて保護カバー４２の開閉を検出し、カセットが装着されても保護カバー４２が閉じられたことを検出するまではＶＴＲを停止状態にする方法が取られている。なお、この種の従来例として、下記の特許文献１には、外光などによる誤動作を防止するために、筐体を透明にするなどの方法が開示されている。
【０００５】
【特許文献１】
特開２００１−１１１４０４号公報（図１、要約書）
【０００６】
【発明が解決しようとする課題】
しかしながら、図４に示す従来の方法では、カセットを装着しただけでは記録を開始できず、その後に保護カバー４２を閉めてから初めて記録が開始される。そのため、外光による影響がない場合でも記録を開始するのに時間がかかり、記録したい瞬間を逃してしまうという課題があった。
【０００７】
また外光を検出するために新たにセンサを設けた場合には、受光素子と同一の条件で外光の影響を検出するのは困難で正確な検出ができず、また部品点数が増えてコストもかかってしまうという課題があった。また、特許文献１では、外光などによる誤動作を防止するために筐体を透明にするなどで、コストが増加する。
【０００８】
本発明はこのような問題点に鑑みなされたものであり、専用の受光素子を設けたり、筐体を透明になどすることなく外光などによる誤動作を防止することができ、外光による影響がない場合にはテープを入れてすぐにローディングを開始することができる磁気記録再生装置を提供することを目的とする。
【０００９】
【課題を解決するための手段】
本発明は上記目的を達成するために、磁気テープの始端及び終端に設けられた光透過性のリーダテープ部を検出するための発光素子及び受光素子を用いて外光の有無を判断するようにしたものである。
すなわち本発明によれば、不透明な磁気テープ部と前記磁気テープ部の始端及び終端に設けられた光透過性のリーダテープ部を検出するための発光素子及び受光素子と、
前記発光素子の消灯状態での前記受光素子の受光量と前記発光素子の点灯状態での前記受光素子の受光量とに基づいて外光の有無を判断し、前記外光を検出した場合に動作を停止させる制御手段とを、
有する磁気記録再生装置が提供される。
【００１０】
【発明の実施の形態】
以下、図面を参照して本発明の実施の形態について説明する。図１は本発明の磁気記録再生装置の一実施の形態を示す回路図、図２は図１の磁気記録再生装置のテープ端検出装置の概略構成図、図３は本発明の磁気記録再生装置の動作を説明するためのフローチャートである。なお、図１を説明するに当たり、図２、図３の符号を参照することがある。
【００１１】
まず、図２を参照してＶＴＲの光学式センサを用いたテープ端検出装置の例を説明する。図２に示すカセット２１は、装置に装着されると前面蓋２２が解放されてリール２３に巻かれたテープ２８がカセット２１から引き出され、矢印方向に走行する。テープ２８の開始端及び終端は、不透明な磁気テープではなく透明なリーダテープとなっている。なお図２の符号２３は供給側のリールを示す。装置側には発光素子（ＬＥＤ）２５が設けられており、カセット２１が装着されるとカセット２１の中央部に設けた穴２４に収まるよう配置されている。また同じく装置側に受光素子１が設けられている。
【００１２】
発光素子２５から出た検知光８はカセット２１内を通り、受光素子１に到達するように構成されているが、テープ２８が開始端又は終端にない場合は発光素子２５から出た光は磁気テープ２８に遮られ、受光素子１には十分な光量は到達しない。テープの開始端、終端では発光素子２５から出た光が透明なテープを透過し、受光素子１に達する。カセット２１が装着されていない場合も発光素子２５から出た光は受光素子１に到達する。
【００１３】
図１はフォトトランジスタを受光素子１に用いた回路図の例を示し、フォトトランジスタ１のエミッタは接地され、コレクタ電圧がＣＰＵ２に取り込まれる。外光による影響が無く磁気テープ２８が検知光８を遮っている場合は、発光素子２５であるＬＥＤの点灯・消灯にかかわらず、フォトトランジスタ１には光が当たらないので電流がほとんど流れずコレクタ出力電圧は高い。
【００１４】
一方、外光による影響が無くテープ２８が開始端又は終端にある場合、ＬＥＤ２５が点灯するとフォトトランジスタ１に検知光８があたり、フォトトランジスタ１に電流が流れるので抵抗Ｒで電圧降下が起き、コレクタ出力電圧は低くなるが、ＬＥＤ２５が消灯するとフォトトランジスタ１には光があたらずコレクタ出力電圧は高くなる。
【００１５】
しかし、外光が入射して影響している場合は、ＬＥＤ２５の点灯・消灯にかかわらずフォトトランジスタ１に外光があたるので、フォトトランジスタ１に電流が流れ抵抗Ｒで電圧降下が起き、出力電圧は低くなる。このような出力電圧をＡ／Ｄ変換部３でディジタルに変換し、ＣＰＵ２に入力する。
【００１６】
図３のフローチャートに基づいて本発明の磁気記録再生装置の動作を説明する。まずカセット２１が装着されていない状態で保護カバー４２（図４参照）が開けられ、カセット２１が挿入されるとＶＴＲに装着され、図示しないＶＴＲのセンサでカセットの装着が検知される（ステップＳ１）。検知されるとまずテープ端検出装置のＬＥＤ２５を消灯したまま、フォトトランジスタ１のコレクタ出力（記憶１）から受光量を測定し、ＣＰＵ２の内部の記憶エリア４に記憶する（ステップＳ２）。
【００１７】
次にＬＥＤ２５を点灯して（ステップＳ３）、フォトトランジスタ１の出力（記憶２）を測定し、ＣＰＵ２の内部の記憶エリア５に記憶する（ステップＳ４）。そして記憶エリア４の記憶１と記憶エリア５の記憶２との差分が、ＣＰＵ２にあらかじめ設定されている第１のしきい値６より小さいか否かを判断し（ステップＳ５）、小さくない場合には、「外光なし」かつ「透明なリーダテープ」であるので、この外光検出を終了する。
【００１８】
他方、ステップＳ５において記憶エリア４の記憶１と記憶エリア５の記憶２との差分が第１のしきい値６より小さい場合には、「外光あり」又は「不透明な磁気テープ部」であるのでステップＳ６に進み、記憶エリア４の記憶１と記憶エリア５の記憶２の各値をそれぞれ第２のしきい値７と比較する（ステップＳ６）。記憶エリア４の記憶１と記憶エリア５の記憶２が共に第２のしきい値７よりも小さくない場合には「不透明な磁気テープ部」であるのでこの外光検出を終了する。
【００１９】
他方、記憶エリア４の記憶１と記憶エリア５の記憶２が共に第２のしきい値７よりも小さい場合には「外光あり」であるので、外光の影響があるものと判断し、磁気記録再生装置の動作を停止させる（ステップＳ７）。そして、この外光検出を終了し、再びステップＳ１に戻る。これによって特別な外光検出センサを設けたりしなくても、受光素子１に外光が入射しているかどうかを判断することができ、外光の影響がある場合はＶＴＲの動作を停止して保護し、外光の影響がない場合はすぐにＶＴＲを動作させることが可能となる。
【００２０】
なお、この外光検出はカセット２１が装着されたときだけでなくＶＴＲの動作中絶えず行ってもよい。本発明は上述した本実施の形態に限定されることはなく、本発明の要旨を逸脱しない範囲において種々変更可能である。
【００２１】
【発明の効果】
以上詳細に説明したように、発光素子点灯時の受光素子の出力電圧と発光素子消灯時の受光素子の出力電圧とに基づいて外光の有無を判断するので、専用の受光素子を設けたり、筐体を透明になどすることなく外光などによる誤動作を防止することができ、外光による影響がない場合にはテープを入れてすぐにローディングを開始することができる。また、外光の影響がある場合は磁気記録再生装置の動作を停止させてテープにダメージを与えない磁気記録再生装置を提供することが可能となる。
【図面の簡単な説明】
【図１】本発明の磁気記録再生装置の一実施の形態を示す回路図である。
【図２】図１の磁気記録再生装置のテープ端検出装置の概略構成図である。
【図３】本発明の磁気記録再生装置の動作を説明するためのフローチャートである。
【図４】従来例を示す外観図である。
【符号の説明】
１  受光素子（フォトトランジスタ）
２  ＣＰＵ
３  Ａ／Ｄ変換部
４、５  記憶エリア
６  第１のしきい値
７  第２のしきい値
８  検知光
２１  カセット
２２  前面蓋
２３  リール
２４  穴
２５  発光素子（ＬＥＤ）
２８  磁気テープ（テープ）
４２  保護カバー
【図１】
2004319032.tif 000003
【図２】
2004319032.tif 000004
【図３】
2004319032.tif 000005
【図４】
2004319032.tif 000006